(57)【特許請求の範囲】
【請求項１】
太陽電池モジュールの一側に端子を取り付ける係止部を形成し、連続する太陽電池モジュールの目地に、上記係止部に取り付けた端子を隠す被覆金具を設けて端子を隠し、該被覆金具に形成した溝内に上記端子からの電線を引き出すと共にこの被覆金具を連結する連結管内に上記電線を導いて納めたことを特徴とする太陽電池モジュール間の配線構造。
【請求項２】
請求項１において、係止部を、太陽電池モジュールに端子が設置できる程度の段差部を形成することによって構成したことを特徴とする太陽電池モジュール間の配線構造。
【請求項３】
請求項１において、係止部を、太陽電池モジュールに端子が設置できる程度の切り欠を形成することによって構成したことを特徴とする太陽電池モジュール間の配線構造。
【請求項４】
請求項１において、連結管を、太陽電池モジュールの目地に沿わせたことを特徴とする太陽電池モジュール間の配線構造。
【発明の詳細な説明】
【０００１】
【発明の属する技術分野】
本発明は、ワイヤートラスタイプや方立タイプ等のカーテンウォールの壁面に取り付ける太陽電池モジュール間の配線構造に関する。
【０００２】
【従来の技術】
連続する太陽電池モジュール間を接続する電気配線は、図８の部分図および図９の全体図に示す如く、各太陽電池モジュール１００に接続する端子箱１０１は大きな形状で、各太陽電池モジュール１００の裏面に接続してあると共にその各太陽電池モジュール１００を接続する配線１０２が複雑に露出して室内から非常に見苦しいものとなっている。
【０００３】
特に、図１０に示すようなワイヤートラスタイプのカーテンウォールは内側からも美観が考慮されており、そのようなカーテンウォールの一部に太陽電池モジュールを配置する場合、一層見苦しいものとなる。そこで、近時太陽電池モジュールの端部に取り付けることができる端子が開発されて室内から大きな端子箱が見えないような構造がとれるようになった。
【０００４】
【発明が解決しようとする課題】
ところが、小さい端子とはいえ、各太陽電池モジュールに取り付けると外観上目障りとなり、しかも複数の端子を接続する配線が複雑に露出することを防ぐことができず、美観が要求されるワイヤートラスタイプや方立タイプのカーテンウォールではそのような複雑な配線が室内から見える状態は大きな問題であった。
【０００５】
【課題を解決するための手段】
そこで本発明は、太陽電池モジュールの一側に端子を取り付ける係止部を形成し、連続する太陽電池モジュールの目地に、上記係止部に取り付けた端子を隠す被覆金具を設けて端子を隠し、該被覆金具に形成した溝内に上記端子からの電線を引き出すと共にこの被覆金具を連結する連結管内に上記電線を導いて納めたことを特徴とする。
【０００６】
【発明の実施の形態】
以下に本発明の実施の形態を図面を用いて説明する。図１は端子の接続状態を示す説明図、図２は端子の他の接続状態を示す説明図、図３は端子の接続状態を示す説明図、図４は端子の接続状態を示す説明図、図５は配線状態を示す一部破断平面図、図６は被覆金具と連結管の状態を示す断面図、図７は被覆金具の取り付け状態を示す説明図であり、図において、１は太陽電池モジュールであり、図面では太陽電池モジュールを構成する各セルの表示は省略してある。この太陽電池モジュールの一側の導電部２に係止部３を形成し、その係止部３に端子４が取り付けてある。
【０００７】
この端子４の係止部３の状態は、図１に示す如く、太陽電池モジュール１の導電部２のガラス５に端子４が設置できる幅の段差部６を形成して係止部３とし、その段差部６に設置するように取り付ける。このように太陽電池モジュール１の厚さ内に端子４を納めたもので、端子４が太陽電池モジュール１表面に突出しないかわずかに突出する程度に取り付けてある。
【０００８】
この端子４の係止部３の状態は、上記の構成に限るものではなく、図２に示す如く、太陽電池モジュール１の導電部２のガラス５に端子４が設置できる程度の切り欠７を形成して係止部３とし、その切り欠７内に納まるように付けて取り付けてもよい。このように上記と同様に太陽電池モジュール１の厚さ内に端子４を納め、端子４が太陽電池モジュール１表面に突出しないかわずかに突出する程度に取り付けてある。
【０００９】
このように各太陽電池モジュール１に取り付けた端子４からの各配線８は、図５、図６に示す如く、被覆金具９に引き出し、その被覆金具９を連結する連結管１０内に納めて導く。上記被覆金具９はどのような構造でもよいが、例えば、アルミニウム等の金属製であり、図示する如く、各太陽電池モジュール１の目地を構成する接続個所に取り付けるものであり、縦目地１１を挟んだ横目地１２に、反対面から当てる押し縁１３によって取り付けられるもので、両側の固定部１４を連結部１５で連結支持しており、この連結部１５に連結管１０を配置し、この連結管１０が縦目地１１に沿うように被覆金具９は設置される。連結管１０は連結部１５との接続個所に導入口２０を有し、さらに、その接続個所付近で各連結管が連結されているような構造としてあると作業上具合がよい。
【００１０】
この被覆金具９内には、配線８を案内する溝１６が形成されており、この溝１６によって案内された各配線８が導入口２０より連結管１０内に導かれるもので、この溝１６は被覆金具９の正面に形成された配線作業用の長窓２１によって開放され、この長窓２１はゴムや合成樹脂等による着脱可能なカバー２２を嵌めることによって最終的には閉じられる。
【００１１】
さらに、この被覆金具９には上記押し縁１３を係止する係止部１７が形成されており、上記押し縁１３に形成した係止突起１８が嵌入され、ボルト１９で一体に固定されるようになっている。なお、図において、２３はターンバックル、２４は中間クランプ、２５はワイヤートラスを構成するワイヤーロープである。
【００１２】
以上の構成によると、太陽電池モジュール１の一側の導電部２に形成した段差部６もしくは切り欠７内に取り付けた端子４は、外観上被覆金具９と押し縁１３内に納まり、端子４からの配線８はその被覆金具９内の溝１６内に案内され、さらにその配線８は被覆金具９を連結する連結管１０内に導入口２０より納めて導かれることによって隠され、外観上見えない状態となる。
【００１３】
また、連結管１０は連結部１５との接続個所で接続されていると、配線の接続作業や保守、点検に際しても作業上の障害は少ない。
【００１４】
【発明の効果】
以上詳細に説明した本発明によると、太陽電池モジュールの一側に導電部の係止部を形成し、その係止部に端子を取り付け、連続する太陽電池モジュールの目地に取り付けた被覆金具によって上記係止部の端子を隠すと共に被覆金具に形成した溝内に上記端子からの電線を引き出し、その被覆金具を連結する連結管内に各電線を導いて納めたことにより、各端子は被覆金具によって隠され、各端子からの各配線は被覆金具内および連結管内に納められて隠されることになり、カーテンウォールの壁面等に取り付けた太陽電池モジュールが外観上良好となり、内側から見ても見苦しくないという効果を有する。
【００１５】
また、各端子および各配線は目地に取り付けた被覆金具によって隠されているだけであるために、その取り付けの作業性に優れ、さらに、着脱可能なカバーによって被覆金具内の配線の保守、点検も容易となる効果を有する。
【図面の簡単な説明】
【図１】端子の接続状態を示す説明図
【図２】端子の他の接続状態を示す説明図
【図３】端子の接続状態を示す全体説明図
【図４】端子の接続状態を示す説明図
【図５】配線状態を示す一部破断平面図
【図６】被覆金具と連結管の状態を示す断面図
【図７】被覆金具と連結管の取り付け状態を示す説明図
【図８】従来例の太陽電池モジュールの配線状態を示す部分説明図
【図９】太陽電池モジュールの配線状態を示す全体説明図
【図１０】ワイヤートラスタイプのカーテンウォールの例を示す説明図
【符号の説明】
１ 太陽電池モジュール
２ 導電部
３ 係止部
４ 端子
５ ガラス
６ 段差部
７ 切り欠
８ 配線
９ 被覆金具
１０ 連結管
１１ 縦目地
１２ 横目地
１３ 押し縁
１４ 固定部
１５ 連結部
１６ 溝
１７ 係止部
１８ 係止突起
２１ 長窓
２２ カバー
【図１】
0004445606.tif 000002
【図２】
0004445606.tif 000003
【図３】
0004445606.tif 000004
【図４】
0004445606.tif 000005
【図５】
0004445606.tif 000006
【図６】
0004445606.tif 000007
【図７】
0004445606.tif 000008
【図８】
0004445606.tif 000009
【図９】
0004445606.tif 000010
【図１０】
0004445606.tif 000011